(57)【要約】【課題】高記録容量にしてディスクトレイの取扱容易性に優れたチェンジャー用のディスクカートリッジを提供する。【解決手段】開口部１ａを通してカートリッジ本体１内に出入自在に収納されるディスクトレイ３，４の前端部に所要の間隔を隔ててアーム係合部３２，４２とアーム逃げ部３３，４３とを形成する。第１ディスクトレイ３のアーム係合部３２と第２ディスクトレイ４のアーム逃げ部４３、及び第１ディスクトレイ３のアーム逃げ部３３と第２ディスクトレイ４のアーム係合部４２とが対向するように第１及び第２のディスクトレイ３，４を交互に配置し、カートリッジ本体１内に収納する。カートリッジ本体１の内面には、これと対向に配置されるディスクトレイのアーム係合部と対応する部分にアーム逃げ部１４，１５を形成する。【選択図】図７
2006294087.tif 000002
【特許請求の範囲】
【請求項１】
開口部を有する箱状のカートリッジ本体と、前記開口部を通して前記カートリッジ本体内に出入自在に収納される複数枚のディスクトレイと、当該複数枚のディスクトレイのそれぞれに１枚ずつ載置される複数枚の情報記録ディスクとからなり、前記カートリッジ本体の内面に所定のピッチで相平行に形成されたガイドリブにより前記複数枚のディスクトレイのそれぞれを個別に保持するディスクカートリッジにおいて、
前記ディスクトレイは、前端部に所要の間隔を隔てて形成されたアーム係合部とアーム逃げ部とを有し、前記複数枚のディスクトレイは、隣接して配置される一方のディスクトレイのアーム係合部と他方のディスクトレイのアーム逃げ部及び一方のディスクトレイのアーム逃げ部と他方のディスクトレイのアーム係合部とが対向するように配置されて前記カートリッジ本体内に出入自在に収納され、
前記カートリッジ本体の内面には、これと対向に配置される１枚のディスクトレイのアーム係合部と対応する部分にアーム逃げ部が形成されていることを特徴とするディスクカートリッジ。
【請求項２】
前記一方のディスクトレイと前記カートリッジ本体との間及び前記他方のディスクトレイと前記カートリッジ本体との間にそれぞれ固有の誤挿入防止手段を備えたことを特徴とする請求項１に記載のディスクカートリッジ。
【発明の詳細な説明】
【技術分野】
【０００１】
本発明は、カートリッジ本体内に複数枚のディスクトレイ及び当該ディスクトレイ上に載置された複数枚の情報記録ディスクを収納してなるチェンジャー用のディスクカートリッジに係り、特に、薄形にしてフレキシブルな情報記録ディスクを収納するディスクカートリッジにおけるディスクトレイの取扱性を改善する手段に関する。
【背景技術】
【０００２】
従来より、カートリッジ本体内に複数枚のディスクトレイ及び情報記録ディスクを収納してなり、ディスクドライブ装置に着脱自在に装着して使用されるチェンジャー用のディスクカートリッジが提案されている（例えば、特許文献１参照。）。
【０００３】
図９は特許文献１に開示されたディスクカートリッジの斜視図であり、図１０は特許文献１に開示されたディスクカートリッジの断面図である。これらの図から明らかなように、本例のディスクカートリッジは、開口部１０１ａを有する箱状のカートリッジ本体１０１と、ディスク収納凹部１０２ａを有し開口部１０１ａを通してカートリッジ本体１０１内に出入自在に収納される複数枚のディスクトレイ１０２と、各ディスクトレイ１０２上に１枚ずつ載置される複数枚の情報記録ディスク１０３とから構成されている。ディスクトレイ１０２の前端部には、厚肉の立壁１０２ｂが形成され、当該立壁１０２ｂの左右対称位置には鈎形のアーム係合部１０２ｃが形成されている。
【０００４】
カートリッジ本体１０１からのディスクトレイ１０２及び情報記録ディスク１０３の取り出しとカートリッジ本体１０１へのディスクトレイ１０２及び情報記録ディスク１０３の収納は、図９に示すように、ディスクドライブ装置に備えられたディスクトレイ操作用のアームＡをディスクトレイ１０２の前端部に形成されたアーム係合部１０２ｃに係合し、取り出し方向又は収納方向の力をアームＡからディスクトレイ１０２に伝達することにより行われる。
【特許文献１】特開２０００−４０３２４号公報
【発明の開示】
【発明が解決しようとする課題】
【０００５】
ところで、近年においては、カートリッジ本体内に収納可能な情報記録ディスクの枚数を増加し、テラバイトクラスの記録容量を有するディスクカートリッジを実現するため、基板厚が０．１ｍｍ程度のフレキシブルな基板を備えた情報記録ディスクの研究開発が行われている。
【０００６】
この種のディスクカートリッジを実現するためには、単に情報記録ディスクの薄形化を図るだけでは足りず、これを載置するディスクトレイの薄形化並びにカートリッジ本体内におけるディスクトレイの収納密度の向上も同時に図る必要がある。かかる観点より、前端部に厚肉の立壁１０２ｂを有する従来のディスクトレイ１０２は、到底この種の高記録容量のディスクカートリッジには適用し得ず、新たな薄形のディスクトレイの開発が嘱望されている。
【０００７】
しかしながら、ディスクトレイを薄形化し、カートリッジ本体内におけるディスクトレイの収納密度を高めると、それに伴ってディスクドライブ装置に備えられるアームＡの駆動マージンが小さくなり、アームＡをカートリッジ本体内で所望のディスクトレイのみに確実に係合することが困難になる。このため、所望のディスクトレイを確実に取り出せないという不都合や所望のディスクトレイのみならずその前後に隣接して配置されている不所望のディスクトレイも同時に取り出されてしまうという不都合が生じやすくなる。
【０００８】
本発明は、かかる従来技術の不備を解決するためになされたものであり、その目的は、高記録容量にしてディスクトレイの取扱容易性に優れたチェンジャー用のディスクカートリッジを提供するにある。
【課題を解決するための手段】
【０００９】
本発明は、上記課題を解決するため、開口部を有する箱状のカートリッジ本体と、前記開口部を通して前記カートリッジ本体内に出入自在に収納される複数枚のディスクトレイと、当該複数枚のディスクトレイのそれぞれに１枚ずつ載置される複数枚の情報記録ディスクとからなり、前記カートリッジ本体の内面に所定のピッチで相平行に形成されたガイドリブにより前記複数枚のディスクトレイのそれぞれを個別に保持するディスクカートリッジにおいて、前記ディスクトレイは、前端部に所要の間隔を隔てて形成されたアーム係合部とアーム逃げ部とを有し、前記複数枚のディスクトレイは、隣接して配置される一方のディスクトレイのアーム係合部と他方のディスクトレイのアーム逃げ部及び一方のディスクトレイのアーム逃げ部と他方のディスクトレイのアーム係合部とが対向するように配置されて前記カートリッジ本体内に出入自在に収納され、前記カートリッジ本体の内面には、これと対向に配置される１枚のディスクトレイのアーム係合部と対応する部分にアーム逃げ部が形成されているという構成にした。
【００１０】
このように、前端部に所要の間隔を隔ててアーム係合部とアーム逃げ部とが形成されたディスクトレイを用い、隣接して配置される一方のディスクトレイのアーム係合部と他方のディスクトレイのアーム逃げ部及び一方のディスクトレイのアーム逃げ部と他方のディスクトレイのアーム係合部とを互いに対向させて複数枚のディスクトレイをカートリッジ本体内に出入自在に収納すると、１枚のディスクトレイに形成されたアーム係合部の前後に隣接するディスクトレイに形成されたアーム逃げ部が配置されるので、ディスクドライブ装置に備えられたアームの駆動マージンを大きくすることができる。また、カートリッジ本体の内面にアーム逃げ部を形成し、カートリッジ本体の内面と対向に配置されるディスクトレイのアーム係合部と対向に配置すると、カートリッジ本体の内面と対向するディスクトレイの前後にカートリッジ本体の内面に形成されたアーム逃げ部及び当該ディスクトレイに隣接する他のディスクトレイに形成されたアーム逃げ部が配置されるので、カートリッジ本体の内面と対向に配置されるディスクトレイについても、ディスクドライブ装置に備えられたアームの駆動マージンを大きくすることができる。
【００１１】
また、本発明は、前記構成のディスクカートリッジにおいて、前記一方のディスクトレイと前記カートリッジ本体との間及び前記他方のディスクトレイと前記カートリッジ本体との間にそれぞれ固有の誤挿入防止手段を備えるという構成にした。
【００１２】
このように、カートリッジ本体内で隣接して配置される２枚のディスクトレイのそれぞれについてカートリッジ本体の内面との間に固有の誤挿入防止手段を備えると、カートリッジ本体内へのアーム係合部及びアーム逃げ部の向きが不適なディスクトレイの収納が防止されるので、ディスクカートリッジの信頼性を高めることができる。
【発明の効果】
【００１３】
本発明のディスクカートリッジは、カートリッジ本体内に収納される複数枚のディスクトレイのそれぞれについて、１のディスクトレイに形成されたアーム係合部の前後に、隣接するディスクトレイ又はカートリッジ本体の内面に形成されたアーム逃げ部が配置されるようにしたので、ディスクドライブ装置に備えられたアームの駆動マージンを大きくすることができ、薄形のディスクトレイが高密度に収納されたディスクカートリッジにおいても所望のディスクトレイのみを確実に取り出すことができる。
【発明を実施するための最良の形態】
【００１４】
以下、本発明に係るディスクカートリッジの実施形態を、図１乃至図８に基づいて説明する。図１は実施形態に係るディスクカートリッジのディスクドライブ未装着時の状態を示す斜視図、図２は実施形態に係るディスクカートリッジのディスクドライブ装着時の状態を示す斜視図、図３は実施形態に係るディスクカートリッジのシャッタを除去した状態を示す斜視図、図４は実施形態に係るカートリッジ本体の右側内壁及び左側内壁の構成を示す要部断面図、図５は実施形態に係る第１ディスクトレイの上面図、図６は実施形態に係る第２ディスクトレイの上面図、図７はカートリッジ本体内における第１ディスクトレイ及び第２ディスクトレイの配列を示す斜視図、図８は本発明の効果を示す断面図である。
【００１５】
図１及び図２に示すように、本例のディスクカートリッジは、一側面に開口部１ａを有する箱状のカートリッジ本体１と、カートリッジ本体１に旋回可能に取り付けられ開口部１ａを開閉するシャッタ２と、開口部１ａを通してカートリッジ本体１の内部に出入自在に収納される第１及び第２のディスクトレイ３，４と、これらの各ディスクトレイ３，４上に１枚ずつ載置される複数枚の情報記録ディスク５とからなる。
【００１６】
カートリッジ本体１は、プラスチックの射出成形品又はその組立品をもって所要の大きさの箱状に形成されており、その側壁内面には、図４（ａ），（ｂ）に示すように、必要数のガイドリブ１１が所定のピッチで相平行に形成されると共に、当該ガイドリブ１１の奥側に半割り円柱状の係合突起１６，１７が形成されている。ディスクトレイ３，４は、隣接する２本のガイドリブ１１の間のスペース内に摺動自在に挿入される。カートリッジ本体１の右側内壁には、図４（ａ）に示すように、ガイドリブ１１が所定のピッチで相平行に形成されると共に上から奇数番目のスペースの末端部に第２ディスクトレイ４の誤挿入を防止するためのストッパ１２が形成されており、その奥側には係合突起１６が形成されている。これに対して左側内壁には、図４（ｂ）に示すように、ガイドリブ１１が所定のピッチで相平行に形成されると共に上から偶数番目のスペースの末端部に第１ディスクトレイ３の誤挿入を防止するためのストッパ１３が形成されており、その奥側には係合突起１７が形成されている。さらに、当該カートリッジ本体１を構成する上板及び下板の内面には、図３に示すように、所要の位置にそれぞれ凹溝状のアーム逃げ部１４，１５が形成される。
【００１７】
シャッタ２もプラスチックの射出成形品をもって形成されており、支持軸２ａを介してカートリッジ本体１に旋回可能に取り付けられる。シャッタ２は、カートリッジ本体１がディスクドライブ装置に装着される以前には、図１に示すように開口部１ａを完全に閉止してカートリッジ本体１内への塵埃等の侵入を防止し、カートリッジ本体１がディスクドライブ装置に装着されたときには、図２に示すように開口部１ａを完全に開放して必要なディスクトレイ３又は４及び情報記録ディスク５の搬出又は搬入を可能にする。
【００１８】
第１及び第２のディスクトレイ３，４は、プラスチックの射出成形品をもって外形がカートリッジ本体１内に収納可能な略矩形に形成される。第１ディスクトレイ３は、図５に示すように、中央部に情報記録ディスク５を収納可能な円形のディスク収納凹部３１が形成され、前端部左側に鈎型のアーム係合部３２が形成され、前端部右側に凹状のアーム逃げ部３３が形成され、後端部右側に誤挿入防止用の切欠３４が形成され、後端部右側に前記係合突起１７に係合される弾性片３５が形成されている。一方、第２ディスクトレイ４は、図６に示すように、中央部に情報記録ディスク５を収納可能な円形のディスク収納凹部４１が形成され、前端部右側に鈎型のアーム係合部４２が形成され、前端部左側に凹状のアーム逃げ部４３が形成され、後端部左側に誤挿入防止用の切欠４４が形成され、後端部右側に前記係合突起１６に係合される弾性片４５が形成されている。前記各弾性片３５，４５の側面部分には、Ｖ形又は円弧形の切欠３５ａ，４５ａが形成されており、各弾性片３５，４５をカートリッジ本体１に形成された半割り円柱状の係合突起１６，１７に安定に係合できるようになっている。
【００１９】
図５と図６との対比から明らかなように、第１ディスクトレイ３と第２ディスクトレイ４とは、アーム係合部３２とアーム係合部４２の形成位置、アーム逃げ部３３とアーム逃げ部４３の形成位置、切欠３４と切欠４４の形成位置及び弾性片３５と弾性片４５の形成位置が左右対称の位置に入れ替わっている点で相違し、他の点で共通している。したがって、第１及び第２のディスクトレイ３，４としては、必ずしも個別に作製されたものを用いる必要はなく、上面側と下面側とが同一形状に構成された１種類のディスクトレイを作製し、当該ディスクトレイを表裏反転することにより、第１ディスクトレイ３又は第２ディスクトレイ４として使用することもできる。
【００２０】
第１ディスクトレイ３は、カートリッジ本体１に形成されたガイドリブ１１の上から奇数番目のスペース内（図４（ａ）参照）に挿入され、第２ディスクトレイ４は、カートリッジ本体１に形成されたガイドリブ１１の上から偶数番目のスペース内（図４（ｂ）参照）に挿入される。各スペース内に第１ディスクトレイ３及び第２ディスクトレイ４が正しく挿入されている場合には、第１ディスクトレイ３に形成された弾性片３５の先端部がカートリッジ本体１の左側内壁に形成された誤挿入防止用のストッパ１３に当接されずに弾性片３５の側面部分に形成された切欠３５ａがカートリッジ本体１の左側内壁に形成された係合突起１７に係合され、第２ディスクトレイ４に形成された弾性片４５の先端部がカートリッジ本体１の右側内壁に形成された誤挿入防止用のストッパ１２に当接されずに弾性片４５の側面部分に形成された切欠４５ａがカートリッジ本体１の右側内壁に形成された係合突起１６に係合されるので、図７に示すように、ディスク収納凹部３１，４１が同心に配列された状態でカートリッジ本体１内に整列して収納され、図８に示すように、１のディスクトレイ、例えばディスクトレイ４に形成されたアーム係合部４２の上下に隣接して、他のディスクトレイ、例えばディスクトレイ３に形成されたアーム逃げ部３３が配置される。
【００２１】
なお、図３に示すように、カートリッジ本体１内に収納されるディスクトレイ群の最上部には、カートリッジ本体１の上板に形成されたアーム逃げ部１４と対向する部分にアーム係合部３２が形成された第１ディスクトレイ３が配置され、当該ディスクトレイ群の最下部には、カートリッジ本体１の下板に形成されたアーム逃げ部１５と対向する部分にアーム係合部４２が形成された第２ディスクトレイ４が配置される。
【００２２】
これに対して、第１ディスクトレイ３がカートリッジ本体１に形成されたガイドリブ１１の上から偶数番目のスペース内に挿入された場合には、第１ディスクトレイ３の後端左側に形成された弾性片３５の先端部がカートリッジ本体１の左側内壁に形成された誤挿入防止用のストッパ１３に当接され、それ以上の挿入が不可能になるので、カートリッジ本体１内への第１ディスクトレイ３の誤挿入が防止される。また、第２ディスクトレイ４がカートリッジ本体１に形成されたガイドリブ１１の上から奇数番目のスペース内に挿入された場合には、第２ディスクトレイ４の後端右側に形成された弾性片４５の先端部がカートリッジ本体１の右側内壁に形成された誤挿入防止用のストッパ１２に当接され、それ以上の挿入が不可能になるので、カートリッジ本体１内への第２ディスクトレイ４の誤挿入が防止される。
【００２３】
情報記録ディスク５は、厚みが０．１ｍｍ程度のプラスチックシートからなるディスク基板の片面又は両面に情報記録膜を含む所要の薄膜を成膜してなる。情報記録膜としては、例えば磁気記録膜、光記録膜又は光磁気記録膜などの公知に属する任意の情報記録膜を形成することができる。
【００２４】
本例のディスクカートリッジは、アーム係合部３２，４２、アーム逃げ部３３，４３、切欠３４，４４及び弾性片３５，４５の形成位置が異なる第１及び第２のディスクトレイ３，４を交互に配置したので、一方のディスクトレイに形成されたアーム係合部３２，４２の上下に他方のディスクトレイに形成されたアーム逃げ部３３，４３が配置される。また、カートリッジ本体１内に収納されるディスクトレイ群の最上部に、カートリッジ本体１の上板に形成されたアーム逃げ部１４と対向する部分にアーム係合部３２が形成された第１ディスクトレイ３を配置するので、当該最上部の第１ディスクトレイ３に形成されたアーム係合部３２の上下に、カートリッジ本体１の上板内面に形成されたアーム逃げ部１４及び最上部の第１ディスクトレイ３と隣接して配置された第２ディスクトレイ４のアーム逃げ部４３とが配置される。さらに、カートリッジ本体１内に収納されるディスクトレイ群の最下部に、カートリッジ本体１の下板に形成されたアーム逃げ部１５と対向する部分にアーム係合部４２が形成された第２ディスクトレイ４を配置するので、当該最下部の第２ディスクトレイ４に形成されたアーム係合部４２の上下に、カートリッジ本体１の下板内面に形成されたアーム逃げ部１５及び最下部の第２ディスクトレイ４と隣接して配置された第１ディスクトレイ３のアーム逃げ部３３とが配置される。よって、図８に示すように、ディスクトレイ３，４を薄形化した場合にもディスクドライブ装置に備えられたアームＡの駆動マージンを大きくすることができ、所望のディスクトレイの取り出し及び収納を容易かつ確実に行うことができる。
【図面の簡単な説明】
【００２５】
【図１】実施形態に係るディスクカートリッジのディスクドライブ未装着時の状態を示す斜視図である。
【図２】実施形態に係るディスクカートリッジのディスクドライブ装着時の状態を示す斜視図である。
【図３】実施形態に係るディスクカートリッジのシャッタを除去した状態を示す斜視図である。
【図４】実施形態に係るカートリッジ本体の右側内壁及び左側内壁の構成を示す要部断面図である。
【図５】実施形態に係る第１ディスクトレイの上面図である。
【図６】実施形態に係る第２ディスクトレイの上面図である。
【図７】カートリッジ本体内における第１ディスクトレイ及び第２ディスクトレイの配列を示す斜視図である。
【図８】本発明の効果を示す断面図である。
【図９】公知例に係るディスクカートリッジの斜視図である。
【図１０】公知例に係るディスクカートリッジの断面図である。
【符号の説明】
【００２６】
１    カートリッジ本体
１ａ    開口部
２    シャッタ
３，４    ディスクトレイ
５    情報記録ディスク
１１    ガイドリブ
１２，１３    ストッパ
１４，１５    アーム逃げ部
１６，１７    係合突起
３１，４１    ディスク収納凹部
３２，４２    アーム係合部
３３，４３    アーム逃げ部
３４，４４    切欠
３５，４５    弾性片
【図１】
2006294087.tif 000003
【図２】
2006294087.tif 000004
【図３】
2006294087.tif 000005
【図４】
2006294087.tif 000006
【図５】
2006294087.tif 000007
【図６】
2006294087.tif 000008
【図７】
2006294087.tif 000009
【図８】
2006294087.tif 000010
【図９】
2006294087.tif 000011
【図１０】
2006294087.tif 000012